(57)【要約】【課題】  内容物放出装置の製造コストを従来より低減することができる内容物放出装置用ストッパーを提供する。【解決手段】  容器に取り付けられて容器の内容物を放出する内容物放出装置の移動部材の移動を妨げることによって内容物放出装置による内容物の放出を妨げる内容物放出装置用ストッパー４０は、内容物放出装置のうち内容物放出装置用ストッパー４０が取り付けられる軸部材が挿入される入口である第１の挿入口４１ａが形成されていて軸部材を挟み込む第１の挟込部４１と、軸部材が挿入される入口であって第１の挿入口４１ａとは反対方向に開口している第２の挿入口４２ａが形成されていて軸部材を挟み込む第２の挟込部４２とを備えており、第２の挟込部４２は、第１の挿入口４１ａが開口している方向とは反対方向に第１の挟込部４１に対して配置されていることを特徴とする。【選択図】  図３
2012192969.tif 000002
【特許請求の範囲】
【請求項１】
容器に取り付けられて容器の内容物を放出する内容物放出装置の移動部材の移動を妨げることによって前記内容物放出装置による前記内容物の放出を妨げる内容物放出装置用ストッパーであって、
前記内容物放出装置のうち前記内容物放出装置用ストッパーが取り付けられるストッパー取付部が挿入される入口である第１の挿入口が形成されていて前記ストッパー取付部を挟み込む第１の挟込部と、前記ストッパー取付部が挿入される入口であって前記第１の挿入口とは反対方向に開口している第２の挿入口が形成されていて前記ストッパー取付部を挟み込む第２の挟込部とを備えており、
前記第２の挟込部は、前記第１の挿入口が開口している方向とは反対方向に前記第１の挟込部に対して配置されていることを特徴とする内容物放出装置用ストッパー。
【請求項２】
前記第１の挟込部および前記第２の挟込部は、同一の大きさの前記ストッパー取付部を挟み込む形状であることを特徴とする請求項１に記載の内容物放出装置用ストッパー。
【請求項３】
前記第１の挟込部および前記第２の挟込部は、互いに異なる大きさの前記ストッパー取付部を挟み込む形状であることを特徴とする請求項１に記載の内容物放出装置用ストッパー。
【請求項４】
前記第１の挟込部は、前記第１の挿入口から前記ストッパー取付部が挿入されるときに前記第１の挿入口が広がるように変形する第１の変形部を備えており、
前記第２の挟込部は、前記第２の挿入口から前記ストッパー取付部が挿入されるときに前記第２の挿入口が広がるように変形する第２の変形部を備えており、
前記第１の変形部および前記第２の変形部は、前記第１の挿入口が狭まるように前記第１の変形部が変形させられる場合に前記第２の挿入口が広がり、前記第２の挿入口が狭まるように前記第２の変形部が変形させられる場合に前記第１の挿入口が広がる状態で、互いに接続されていることを特徴とする請求項１から請求項３までの何れかに記載の内容物放出装置用ストッパー。
【請求項５】
容器に取り付けられて容器の内容物を放出する内容物放出装置であって、
請求項１から請求項４までの何れかに記載の内容物放出装置用ストッパーと、前記内容物の放出のために移動する移動部材と、前記内容物放出装置用ストッパーが取り付けられるストッパー取付部とを備えていることを特徴とする内容物放出装置。
【請求項６】
請求項５に記載の内容物放出装置と、前記内容物を収納し前記内容物放出装置が取り付けられた前記容器とを備えていることを特徴とするポンプ式製品。
【請求項７】
請求項５に記載の内容物放出装置と、前記内容物および噴射用ガスを収納し前記内容物放出装置が取り付けられた前記容器とを備えていることを特徴とするエアゾール式製品。
【発明の詳細な説明】
【技術分野】
【０００１】
本発明は、容器に取り付けられて容器の内容物を放出する内容物放出装置の移動部材の移動を妨げることによって内容物放出装置による内容物の放出を妨げる内容物放出装置用ストッパーに関する。
【背景技術】
【０００２】
従来、容器に取り付けられて容器の内容物を放出する内容物放出装置の移動部材の移動を妨げることによって内容物放出装置による内容物の放出を妨げる内容物放出装置用ストッパーとして、内容物放出装置のうち内容物放出装置用ストッパーが取り付けられるストッパー取付部を挟み込む挟込部と、取手部とを備えている内容物放出装置用ストッパーが知られている（例えば、特許文献１、２参照。）。従来の内容物放出装置用ストッパーは、ストッパー取付部が挿入される入口である挿入口が挟込部に形成されており、この挿入口が開口している方向とは反対方向に取手部が挟込部に対して配置されている。
【先行技術文献】
【特許文献】
【０００３】
【特許文献１】実開昭５９―１５４６７号公報
【特許文献２】特開２００６−２４０６３８号公報
【発明の概要】
【発明が解決しようとする課題】
【０００４】
本願の発明者は、内容物放出装置の製造コストを低減することを目指して内容物放出装置用ストッパーの研究を行った。
【０００５】
本発明は、内容物放出装置の製造コストを従来より低減することができる内容物放出装置用ストッパーを提供することを目的とする。
【課題を解決するための手段】
【０００６】
本発明の内容物放出装置用ストッパーは、容器に取り付けられて容器の内容物を放出する内容物放出装置の移動部材の移動を妨げることによって前記内容物放出装置による前記内容物の放出を妨げる内容物放出装置用ストッパーであって、前記内容物放出装置のうち前記内容物放出装置用ストッパーが取り付けられるストッパー取付部が挿入される入口である第１の挿入口が形成されていて前記ストッパー取付部を挟み込む第１の挟込部と、前記ストッパー取付部が挿入される入口であって前記第１の挿入口とは反対方向に開口している第２の挿入口が形成されていて前記ストッパー取付部を挟み込む第２の挟込部とを備えており、前記第２の挟込部は、前記第１の挿入口が開口している方向とは反対方向に前記第１の挟込部に対して配置されていることを特徴とする。
【０００７】
この構成により、本発明の内容物放出装置用ストッパーは、従来の取手部に相当する部分が取っ手としての役割以外に内容物放出装置のストッパー取付部を挟み込む役割も備えている。ここで、本発明の内容物放出装置用ストッパーは、第１の挟込部および第２の挟込部が同一の大きさのストッパー取付部を挟み込む形状である場合には、内容物放出装置用ストッパーを内容物放出装置のストッパー取付部に取り付ける作業者に第１の挟込部および第２の挟込部のうち何れか一方が掴まれたとしても、第１の挟込部および第２の挟込部のうち他方でストッパー取付部を挟み込むことができるので、従来の取手部に相当する部分が取っ手としての役割のみを備えている構成と比較して、作業者によるストッパー取付部への取り付け作業の効率を向上することができる。また、本発明の内容物放出装置用ストッパーは、第１の挟込部および第２の挟込部が互いに異なる大きさのストッパー取付部を挟み込む形状である場合には、異なる種類の内容物放出装置に兼用されることができるので、異なる種類の内容物放出装置の内容物放出装置用ストッパーが別々に製造される場合と異なり、内容物放出装置用ストッパーの金型が１種類で済む。したがって、本発明の内容物放出装置用ストッパーは、第１の挟込部および第２の挟込部が同一の大きさのストッパー取付部を挟み込む形状である場合にも、第１の挟込部および第２の挟込部が互いに異なる大きさのストッパー取付部を挟み込む形状である場合にも、内容物放出装置の製造コストを従来より低減することができる。
【０００８】
また、本発明の内容物放出装置用ストッパーの前記第１の挟込部および前記第２の挟込部は、同一の大きさの前記ストッパー取付部を挟み込む形状であっても良い。
【０００９】
この構成により、本発明の内容物放出装置用ストッパーは、内容物放出装置用ストッパーを内容物放出装置のストッパー取付部に取り付ける作業者に第１の挟込部および第２の挟込部のうち何れか一方が掴まれたとしても、第１の挟込部および第２の挟込部のうち他方でストッパー取付部を挟み込むことができるので、従来の取手部に相当する部分が取っ手としての役割のみを備えている構成と比較して、作業者によるストッパー取付部への取り付け作業の効率を向上することができる。したがって、本発明の内容物放出装置用ストッパーは、内容物放出装置の製造コストを従来より低減することができる。
【００１０】
また、本発明の内容物放出装置用ストッパーの前記第１の挟込部および前記第２の挟込部は、互いに異なる大きさの前記ストッパー取付部を挟み込む形状であっても良い。
【００１１】
この構成により、本発明の内容物放出装置用ストッパーは、異なる種類の内容物放出装置に兼用されることができるので、異なる種類の内容物放出装置の内容物放出装置用ストッパーが別々に製造される場合と異なり、内容物放出装置用ストッパーの金型が１種類で済む。したがって、本発明の内容物放出装置用ストッパーは、内容物放出装置の製造コストを従来より低減することができる。
【００１２】
また、本発明の内容物放出装置用ストッパーの前記第１の挟込部は、前記第１の挿入口から前記ストッパー取付部が挿入されるときに前記第１の挿入口が広がるように変形する第１の変形部を備えており、前記第２の挟込部は、前記第２の挿入口から前記ストッパー取付部が挿入されるときに前記第２の挿入口が広がるように変形する第２の変形部を備えており、前記第１の変形部および前記第２の変形部は、前記第１の挿入口が狭まるように前記第１の変形部が変形させられる場合に前記第２の挿入口が広がり、前記第２の挿入口が狭まるように前記第２の変形部が変形させられる場合に前記第１の挿入口が広がる状態で、互いに接続されていても良い。
【００１３】
この構成により、本発明の内容物放出装置用ストッパーは、内容物放出装置用ストッパーを内容物放出装置のストッパー取付部に取り付ける作業者に第１の挟込部が掴まれて第１の挿入口が狭まるように第１の変形部が変形させられた場合、第２の挟込部の第２の挿入口が広がるので、ストッパー取付部に対する第２の挟込部の着脱を容易化することができる。同様に、本発明の内容物放出装置用ストッパーは、内容物放出装置用ストッパーを内容物放出装置のストッパー取付部に取り付ける作業者に第２の挟込部が掴まれて第２の挿入口が狭まるように第２の変形部が変形させられた場合、第１の挟込部の第１の挿入口が広がるので、ストッパー取付部に対する第１の挟込部の着脱を容易化することができる。
【００１４】
本発明の内容物放出装置は、容器に取り付けられて容器の内容物を放出する内容物放出装置であって、内容物放出装置用ストッパーと、前記内容物の放出のために移動する移動部材と、前記内容物放出装置用ストッパーが取り付けられるストッパー取付部とを備えていることを特徴とする。
【００１５】
この構成により、本発明の内容物放出装置は、内容物放出装置用ストッパーによって製造コストを従来より低減することができる。
【００１６】
本発明のポンプ式製品は、内容物放出装置と、前記内容物を収納し前記内容物放出装置が取り付けられた前記容器とを備えていることを特徴とする。
【００１７】
この構成により、本発明のポンプ式製品は、内容物放出装置の製造コストを従来より低減することができるので、製造コストを従来より低減することができる。
【００１８】
本発明のエアゾール式製品は、内容物放出装置と、前記内容物および噴射用ガスを収納し前記内容物放出装置が取り付けられた前記容器とを備えていることを特徴とする。
【００１９】
この構成により、本発明のエアゾール式製品は、内容物放出装置の製造コストを従来より低減することができるので、製造コストを従来より低減することができる。
【発明の効果】
【００２０】
本発明の内容物放出装置用ストッパーは、内容物放出装置の製造コストを従来より低減することができる。
【図面の簡単な説明】
【００２１】
【図１】本発明の第１の実施の形態に係るポンプ式製品の側面図である。
【図２】内容物放出装置用ストッパーが取り外された状態での図１に示すポンプ式製品の側面図である。
【図３】（ａ）は、図１に示す内容物放出装置用ストッパーの平面図である。（ｂ）は、図３（ａ）に示す内容物放出装置用ストッパーの側面図である。（ｃ）は、図３（ａ）に示す内容物放出装置用ストッパーの正面図である。
【図４】（ａ）は、第１の挿入口が狭まるように変形させられた状態での図３に示す内容物放出装置用ストッパーの平面図である。（ｂ）は、第２の挿入口が狭まるように変形させられた状態での図３に示す内容物放出装置用ストッパーの平面図である。
【図５】（ａ）は、図３に示す例とは異なる例での図１に示す内容物放出装置用ストッパーの平面図である。（ｂ）は、図３および図５（ａ）に示す例とは異なる例での図１に示す内容物放出装置用ストッパーの平面図である。
【図６】（ａ）は、本発明の第２の実施の形態に係るポンプ式製品の内容物放出装置用ストッパーの平面図である。（ｂ）は、図６（ａ）に示す内容物放出装置用ストッパーの側面図である。（ｃ）は、図６（ａ）に示す内容物放出装置用ストッパーの正面図である。
【図７】本発明の第３の実施の形態に係るポンプ式製品の側面図である。
【図８】本発明の第４の実施の形態に係るエアゾール式製品の側面断面図である。
【発明を実施するための形態】
【００２２】
以下、本発明の実施の形態について、図面を用いて説明する。
【００２３】
（第１の実施の形態）
まず、本実施の形態に係るポンプ式製品の構成について説明する。
【００２４】
図１は、本実施の形態に係るポンプ式製品１０の側面図である。図２は、内容物放出装置用ストッパー４０が取り外された状態でのポンプ式製品１０の側面図である。
【００２５】
図１および図２に示すように、ポンプ式製品１０は、シャンプー、リンス、ハンドソープなどの内容物を収納する容器２０と、容器２０に取り付けられて容器２０の内容物を放出する内容物放出装置３０とを備えている。
【００２６】
内容物放出装置３０は、容器２０に取り付けられる容器取付部３１と、内容物の放出のために移動する移動部材３２と、内容物を放出するためのノズル３３と、移動部材３２に接続された軸部材３４と、移動部材３２の移動によって容器２０の内容物をノズル３３から放出する図示していないポンプ機構と、移動部材３２の移動を妨げることによって内容物放出装置３０による内容物の放出を妨げる合成樹脂製の内容物放出装置用ストッパー４０とを備えている。軸部材３４は、内容物放出装置用ストッパー４０が取り付けられるようになっており、本発明のストッパー取付部を構成している。
【００２７】
図３（ａ）は、内容物放出装置用ストッパー４０の平面図である。図３（ｂ）は、内容物放出装置用ストッパー４０の側面図である。図３（ｃ）は、内容物放出装置用ストッパー４０の正面図である。
【００２８】
図３に示すように、内容物放出装置用ストッパー４０は、軸部材３４（図２参照。）が挿入される入口である第１の挿入口４１ａが形成されていて軸部材３４を挟み込む第１の挟込部４１と、軸部材３４が挿入される入口であって第１の挿入口４１ａとは反対方向に開口している第２の挿入口４２ａが形成されていて軸部材３４を挟み込む第２の挟込部４２とを備えている。第２の挟込部４２は、第１の挿入口４１ａが開口している矢印４０ａで示す方向とは反対方向である矢印４０ｂで示す方向に、第１の挟込部４１に対して配置されている。
【００２９】
第１の挟込部４１は、第１の挿入口４１ａから軸部材３４が挿入されるときに第１の挿入口４１ａが広がるように変形する第１の変形部４１ｂを備えている。第２の挟込部４２は、第２の挿入口４２ａから軸部材３４が挿入されるときに第２の挿入口４２ａが広がるように変形する第２の変形部４２ｂを備えている。
【００３０】
第１の挟込部４１および第２の挟込部４２は、同一の大きさの軸部材３４を挟み込む形状である。
【００３１】
ここで、第１の挟込部４１は、第２の挟込部４２が軸部材３４に取り付けられる場合に、従来の取手部に相当する部分となる。同様に、第２の挟込部４２は、第１の挟込部４１が軸部材３４に取り付けられる場合に、従来の取手部に相当する部分となる。
【００３２】
図４（ａ）は、第１の挿入口４１ａが狭まるように変形させられた状態での内容物放出装置用ストッパー４０の平面図である。図４（ｂ）は、第２の挿入口４２ａが狭まるように変形させられた状態での内容物放出装置用ストッパー４０の平面図である。
【００３３】
第１の変形部４１ｂおよび第２の変形部４２ｂは、図４（ａ）に示すように第１の挿入口４１ａが狭まるように第１の変形部４１ｂが変形させられる場合に第２の挿入口４２ａが広がり、図４（ｂ）に示すように第２の挿入口４２ａが狭まるように第２の変形部４２ｂが変形させられる場合に第１の挿入口４１ａが広がる状態で、互いに接続されている。
【００３４】
なお、第１の変形部４１ｂおよび第２の変形部４２ｂは、第１の挟込部４１および第２の挟込部４２の両方に力が加えられることによって、第１の挿入口４１ａおよび第２の挿入口４２ａの両方が広がるように変形させられたり、第１の挿入口４１ａおよび第２の挿入口４２ａの両方が狭まるように変形させられたりすることも当然可能である。
【００３５】
次に、軸部材３４への内容物放出装置用ストッパー４０の取り付けについて説明する。
【００３６】
ポンプ式製品１０または内容物放出装置３０の製造者や、ポンプ式製品１０の使用者など、内容物放出装置用ストッパー４０を内容物放出装置３０の軸部材３４に取り付ける作業者は、第２の挟込部４２を掴み、第１の挟込部４１の第１の挿入口４１ａから第１の挟込部４１の内側に軸部材３４を挿入して第１の挟込部４１に軸部材３４を挟み込ませることによって、軸部材３４に内容物放出装置用ストッパー４０を取り付けることができる。
【００３７】
ここで、作業者が第１の挟込部４１のうち第１の挿入口４１ａを形成する部分を軸部材３４に矢印４０ａで示す方向に押し付けると、第１の挟込部４１は、軸部材３４との接触によって第１の挿入口４１ａが広がるように変形する。したがって、作業者は、軸部材３４に内容物放出装置用ストッパー４０を容易に取り付けることができる。
【００３８】
また、第２の挿入口４２ａが狭まるように作業者が第２の挟込部４２を強く掴むと、第１の挟込部４１の第１の変形部４１ｂは、図４（ｂ）に示すように第１の挿入口４１ａが広がるように変形する。したがって、作業者は、軸部材３４に内容物放出装置用ストッパー４０を更に容易に取り付けることができる。
【００３９】
なお、以上においては、第１の挟込部４１に軸部材３４を挟み込ませる場合について説明しているが、第２の挟込部４２に軸部材３４を挟み込ませる場合についても同様である。
【００４０】
次に、軸部材３４からの内容物放出装置用ストッパー４０の取り外しについて説明する。
【００４１】
内容物放出装置用ストッパー４０を内容物放出装置３０の軸部材３４から取り外す作業者は、第２の挟込部４２を掴み、軸部材３４から第１の挟込部４１を第１の挿入口４１ａを介して取り外すことによって、軸部材３４から内容物放出装置用ストッパー４０を取り外すことができる。
【００４２】
ここで、作業者が矢印４０ｂで示す方向に内容物放出装置用ストッパー４０を引っ張ると、第１の挟込部４１は、軸部材３４との接触によって第１の挿入口４１ａが広がるように変形する。したがって、作業者は、軸部材３４から内容物放出装置用ストッパー４０を容易に取り外すことができる。
【００４３】
また、第２の挿入口４２ａが狭まるように作業者が第２の挟込部４２を強く掴むと、第１の挟込部４１の第１の変形部４１ｂは、図４（ｂ）に示すように第１の挿入口４１ａが広がるように変形する。したがって、作業者は、軸部材３４から内容物放出装置用ストッパー４０を更に容易に取り外すことができる。
【００４４】
なお、以上においては、軸部材３４から第１の挟込部４１を取り外す場合について説明しているが、軸部材３４から第２の挟込部４２を取り外す場合についても同様である。
【００４５】
以上に説明したように、内容物放出装置用ストッパー４０は、従来の取手部に相当する部分が取っ手としての役割以外に内容物放出装置３０の軸部材３４を挟み込む役割も備えている。
【００４６】
そして、内容物放出装置用ストッパー４０は、第１の挟込部４１および第２の挟込部４２が同一の大きさの軸部材３４を挟み込む形状であるので、内容物放出装置用ストッパー４０を内容物放出装置３０の軸部材３４に取り付ける作業者に第１の挟込部４１および第２の挟込部４２のうち何れか一方が掴まれたとしても、第１の挟込部４１および第２の挟込部４２のうち他方で軸部材３４を挟み込むことができる。つまり、作業者は、第１の挟込部４１および第２の挟込部４２のうち何れか一方を無作為に掴んで、第１の挟込部４１および第２の挟込部４２のうち他方で軸部材３４を挟み込ませれば良いので、従来の内容物放出装置用ストッパーを使う場合と比較して、内容物放出装置用ストッパー４０を内容物放出装置３０の軸部材３４に取り付ける作業を効率良く実行することができる。特に、多数の内容物放出装置用ストッパー４０が整列されることなく集められている中から作業者が内容物放出装置用ストッパー４０を１つずつ取り出して軸部材３４に取り付ける作業を繰り返す場合に、内容物放出装置用ストッパー４０の有効性は顕著である。このように、内容物放出装置用ストッパー４０は、従来の取手部に相当する部分が取っ手としての役割のみを備えている構成と比較して、作業者による軸部材３４への取り付け作業の効率を向上することができるので、内容物放出装置３０の製造コストを従来より低減することができる。
【００４７】
また、ポンプ式製品１０は、内容物放出装置３０の製造コストを従来より低減することができるので、製造コストを従来より低減することができる。
【００４８】
また、内容物放出装置用ストッパー４０は、内容物放出装置用ストッパー４０を内容物放出装置３０の軸部材３４に取り付ける作業者に第１の挟込部４１が掴まれて第１の挿入口４１ａが狭まるように第１の変形部４１ｂが変形させられた場合、第２の挟込部４２の第２の挿入口４２ａが広がるので、軸部材３４に対する第２の挟込部４２の着脱を容易化することができる。同様に、内容物放出装置用ストッパー４０は、内容物放出装置用ストッパー４０を内容物放出装置３０の軸部材３４に取り付ける作業者に第２の挟込部４２が掴まれて第２の挿入口４２ａが狭まるように第２の変形部４２ｂが変形させられた場合、第１の挟込部４１の第１の挿入口４１ａが広がるので、軸部材３４に対する第１の挟込部４１の着脱を容易化することができる。
【００４９】
なお、第１の変形部４１ｂおよび第２の変形部４２ｂは、本実施の形態において、第１の挿入口４１ａが狭まるように第１の変形部４１ｂが変形させられる場合に第２の挿入口４２ａが広がり、第２の挿入口４２ａが狭まるように第２の変形部４２ｂが変形させられる場合に第１の挿入口４１ａが広がる状態で互いに接続されているが、互いの変形が連動しない状態で接続されていても良い。例えば、第１の変形部４１ｂおよび第２の変形部４２ｂは、図５（ａ）および図５（ｂ）に示すように、他の部分４３を介して間接的に接続されていても良い。図５（ｂ）に示す例は、第１の変形部４１ｂおよび第２の変形部４２ｂを接続する部分４３が２本になっており、図５（ａ）に示す例よりも材料費を削減することができる。
【００５０】
（第２の実施の形態）
まず、本実施の形態に係るポンプ式製品の構成について説明する。
【００５１】
本実施の形態に係るポンプ式製品の構成は、内容物放出装置用ストッパー５０（図６参照。）を除いて第１の実施の形態に係るポンプ式製品１０（図１参照。）の構成と同様である。
【００５２】
図６（ａ）は、内容物放出装置用ストッパー５０の平面図である。図６（ｂ）は、内容物放出装置用ストッパー５０の側面図である。図６（ｃ）は、内容物放出装置用ストッパー５０の正面図である。
【００５３】
図６に示すように、内容物放出装置用ストッパー５０は、内容物放出装置用ストッパー４０（図３参照。）と同様に、第１の挿入口５１ａが形成されている第１の挟込部５１と、第１の挿入口５１ａとは反対方向に開口している第２の挿入口５２ａが形成されている第２の挟込部５２とを備えている。第２の挟込部５２は、第１の挿入口５１ａが開口している矢印５０ａで示す方向とは反対方向である矢印５０ｂで示す方向に、第１の挟込部５１に対して配置されている。
【００５４】
第１の挟込部５１は、第１の挿入口５１ａから軸部材が挿入されるときに第１の挿入口５１ａが広がるように変形する第１の変形部５１ｂを備えている。第２の挟込部５２は、第２の挿入口５２ａから軸部材が挿入されるときに第２の挿入口５２ａが広がるように変形する第２の変形部５２ｂを備えている。
【００５５】
内容物放出装置用ストッパー５０の構成のうち内容物放出装置用ストッパー４０の構成と異なる部分は、次の部分である。すなわち、第１の挟込部５１および第２の挟込部５２は、互いに異なる大きさの軸部材を挟み込む形状である。
【００５６】
次に、本実施の形態に係るポンプ式製品の内容物放出装置の軸部材に対する内容物放出装置用ストッパー５０の着脱について説明する。
【００５７】
内容物放出装置用ストッパー５０は、第１の挟込部５１および第２の挟込部５２にそれぞれ適した大きさの軸部材が存在することを除いて、内容物放出装置用ストッパー４０と同様に軸部材に対して着脱可能である。
【００５８】
以上に説明したように、内容物放出装置用ストッパー５０は、従来の取手部に相当する部分が取っ手としての役割以外に内容物放出装置の軸部材を挟み込む役割も備えている。
【００５９】
そして、内容物放出装置用ストッパー５０は、第１の挟込部５１および第２の挟込部５２が互いに異なる大きさの軸部材を挟み込む形状であるので、異なる種類の内容物放出装置に兼用されることができる。したがって、内容物放出装置用ストッパー５０は、異なる種類の内容物放出装置の内容物放出装置用ストッパーが別々に製造される場合と異なり、内容物放出装置用ストッパーの金型が１種類で済むので、内容物放出装置の製造コストを従来より低減することができる。
【００６０】
また、本実施の形態に係るポンプ式製品は、内容物放出装置の製造コストを従来より低減することができるので、製造コストを従来より低減することができる。
【００６１】
また、内容物放出装置用ストッパー５０は、内容物放出装置用ストッパー５０を内容物放出装置の軸部材に取り付ける作業者に第１の挟込部５１が掴まれて第１の挿入口５１ａが狭まるように第１の変形部５１ｂが変形させられた場合、第２の挟込部５２の第２の挿入口５２ａが広がるので、軸部材に対する第２の挟込部５２の着脱を容易化することができる。同様に、内容物放出装置用ストッパー５０は、内容物放出装置用ストッパー５０を内容物放出装置の軸部材に取り付ける作業者に第２の挟込部５２が掴まれて第２の挿入口５２ａが狭まるように第２の変形部５２ｂが変形させられた場合、第１の挟込部５１の第１の挿入口５１ａが広がるので、軸部材に対する第１の挟込部５１の着脱を容易化することができる。
【００６２】
なお、第１の変形部５１ｂおよび第２の変形部５２ｂは、本実施の形態において、第１の挿入口５１ａが狭まるように第１の変形部５１ｂが変形させられる場合に第２の挿入口５２ａが広がり、第２の挿入口５２ａが狭まるように第２の変形部５２ｂが変形させられる場合に第１の挿入口５１ａが広がる状態で互いに接続されているが、互いの変形が連動しない状態で接続されていても良い。
【００６３】
（第３の実施の形態）
内容物放出装置は、上述した各実施の形態において、押し下げタイプであるが、押し下げタイプ以外のタイプであっても良い。例えば、内容物放出装置は、図７に示すように、トリガータイプであっても良い。
【００６４】
図７は、本実施の形態に係るポンプ式製品６０の側面図である。
【００６５】
図７に示すように、ポンプ式製品６０は、内容物を収納する容器７０と、容器７０に取り付けられて容器７０の内容物を放出する内容物放出装置８０とを備えている。
【００６６】
内容物放出装置８０は、容器７０に取り付けられる容器取付部８１と、内容物の放出のために移動する移動部材８２と、内容物を放出するためのノズル８３と、移動部材８２に接続された軸部材８４と、移動部材８２の移動によって容器７０の内容物をノズル８３から放出する図示していないポンプ機構と、移動部材８２の移動を妨げることによって内容物放出装置８０による内容物の放出を妨げる合成樹脂製の内容物放出装置用ストッパー９０とを備えている。軸部材８４は、内容物放出装置用ストッパー９０が取り付けられるようになっており、本発明のストッパー取付部を構成している。
【００６７】
内容物放出装置用ストッパー９０の構成は、上述した各実施の形態において説明した何れかの内容物放出装置用ストッパーと同様の構成である。
【００６８】
（第４の実施の形態）
内容物放出装置は、上述した各実施の形態において、ポンプ式製品に備えられているが、図８に示すように、エアゾール式製品１１０に備えられていても良い。
【００６９】
図８は、本実施の形態に係るエアゾール式製品１１０の側面断面図である。
【００７０】
図８に示すように、エアゾール式製品１１０は、内容物および噴射用ガスを収納する容器１２０と、容器１２０に取り付けられて容器１２０の内容物を放出する内容物放出装置１３０とを備えている。
【００７１】
内容物放出装置１３０は、容器１２０に取り付けられるマウンティングカップ１３１と、マウンティングカップ１３１に取り付けられたステム１３２と、マウンティングカップ１３１に取り付けられたカバー１３３と、ステム１３２に取り付けられて内容物の放出のために移動する移動部材１３４と、移動部材１３４の移動によって容器１２０の内容物を移動部材１３４の噴射口１３４ａから放出する図示していない噴射機構と、移動部材１３４の移動を妨げることによって内容物放出装置１３０による内容物の放出を妨げる合成樹脂製の内容物放出装置用ストッパー１４０とを備えている。移動部材１３４の軸部分１３４ｂは、内容物放出装置用ストッパー１４０が取り付けられるようになっており、本発明のストッパー取付部を構成している。
【００７２】
内容物放出装置用ストッパー１４０の構成は、上述した各実施の形態において説明した何れかの内容物放出装置用ストッパーと同様の構成である。
【符号の説明】
【００７３】
１０  ポンプ式製品
２０  容器
３０  内容物放出装置
３２  移動部材
３４  軸部材（ストッパー取付部）
４０  内容物放出装置用ストッパー
４１  第１の挟込部
４１ａ  第１の挿入口
４１ｂ  第１の変形部
４２  第２の挟込部
４２ａ  第２の挿入口
４２ｂ  第２の変形部
５０  内容物放出装置用ストッパー
５１  第１の挟込部
５１ａ  第１の挿入口
５１ｂ  第１の変形部
５２  第２の挟込部
５２ａ  第２の挿入口
５２ｂ  第２の変形部
６０  ポンプ式製品
７０  容器
８０  内容物放出装置
８２  移動部材
８４  軸部材（ストッパー取付部）
９０  内容物放出装置用ストッパー
１１０エアゾール式製品
１２０  容器
１３０  内容物放出装置
１３４  移動部材
１３４ｂ  軸部分（ストッパー取付部）
１４０  内容物放出装置用ストッパー
【図１】
2012192969.tif 000003
【図２】
2012192969.tif 000004
【図３】
2012192969.tif 000005
【図４】
2012192969.tif 000006
【図５】
2012192969.tif 000007
【図６】
2012192969.tif 000008
【図７】
2012192969.tif 000009
【図８】
2012192969.tif 000010